(57)【要約】【課題】籾殻の粉砕は、籾殻の縦繊維を切断する形で行なうのが一番好ましいが、そのためには、籾殻切断個所に向けて、籾殻を縦列にして供給しながら切断して行く必要がある。ランダムに落下してくる籾殻を、どのようにして籾殻切断個所に向けてどのようにして誘導していったら良いのかを研究の課題とした。【解決手段】本体に設けた受刃物に近接して、ローター３に設けた切刃物を高速回転させる粉砕機において、受刃物の上面刃先に近くに、多数の縦溝を有する籾殻縦列供給板を設け、籾殻粉砕装置の上部の本体カバーの内部上方に、複数の風圧調整仕切り板を、外部より角度調節可能に取り付け、ローター３に設けた切刃物のやや後方に、撹拌プレート６を直立して設けた。【選択図】 図１
2010036084.tif 000002
【特許請求の範囲】
【請求項１】
水平に設けられたローター３の軸に並行して設けられた長方形の受刃物７と、その受刃物に近接対抗する刃先を有しローター３に設けられた切刃物５と、ローター３を高速回転させるモーター４と受刃物７の上方に配置され多数の縦溝を有することで籾殻を受刃刃先近傍にほぼ縦方向に供給する籾殻縦列供給板８とを具備した事を特徴とする籾殻粉砕機。
【請求項２】
籾殻粉砕装置の上部をやや広くとった本体カバーを設け、その内部上方に、複数の風圧調整仕切り板１５を、外部より角度調節可能に取り付け、そのカバー上部に、籾殻を供給する分離機１７を設けたことを特徴とする請求項１記載の籾殻粉砕装置。
【請求項３】
本体に設けた受刃物に近接して、ローター３に設けた切刃物を高速回転させる粉砕機において、切刃物５のやや後方に、撹拌プレート６を直立して設けたことを特徴とする請求項１記載の籾殻粉砕装置。
【発明の詳細な説明】
【技術分野】
【０００１】
本発明は、籾摺り機により脱殻した籾殻を、自動もしくは手動によって投入して切削加工してオガ粉状にする粉砕装置である。
【背景技術】
【０００２】
今まで籾殻はそのまま畑や田んぼにまかれていたが、腐り難く処理に困っていた。しかし、現在では、籾殻を粉砕することにより水分を含み易くなり、好気性環境下での発酵分解も可能となり、また、家畜の敷き藁の代わりに使用される利用分野も開けてきた。また、粉砕することにより、籾殻の容量も減らすことが出来るので、保管する場所も少なくて済み、運搬も容易になってきた。
【０００３】
これを受けて、各種の籾殻の粉砕機が開発されてきたが、例えば、籾摺り機械と連携して直接粉砕できる大型の籾殻粉砕機では、磨り潰し処理する必要がある為、モーター動力などにランニングコストが大きく掛かり機械本体もきわめて高価である。また、小型化をねらって開発された高速回転する粉砕刃による籾殻粉砕機では、刃物の消耗が激しく傷み易い恐れがあった。
【０００４】
従来の籾殻粉砕機には、スクリュー式粉砕装置によって加圧しつつ磨り潰しながら粉砕するものがある（例えば、特許文献１）。また、粉砕室内で高速回転する粉砕刃によって籾殻粉砕を行なうものがある（例えば、特許文献２）。
【特許文献１】特開２００１−８９２７５号公報
【特許文献２】特開２００２−３５６２７号公報
【発明の開示】
【発明が解決しようとする課題】
【０００５】
籾殻の切断による粉砕は、理想的には、籾殻の縦繊維を切断するのが望ましく、そのためには、籾殻を縦に並べて供給しながら切断して行く必要がある。とは言うものの、無数に重なり合っている籾殻を、１００％全て縦に並べ直して切断していくことは不可能なことであるが、本発明者は、その理想に一歩でも二歩でも近づけるよう開発を行なうことにした。
【課題を解決するための手段】
【０００６】
本発明は、前記目的を達成するために、第一に、籾殻粉砕機本体に設けた受刃物に近接して、ローター３に設けた切刃物を高速回転させるとともに、受刃物の上面刃先に近くに、多数の縦溝を有する籾殻縦列供給板を設けたことを要旨とするものである。
【０００７】
第二に、籾殻粉砕装置の上部をやや広くとった本体カバーを設け、その内部上方に、複数の風圧調整仕切り板を、外部より角度調節可能に取り付け、そのカバー上部に、籾殻を供給する分離機１７を設けたことを要旨とするものである。
【０００８】
第三に、本体に設けた受刃物に近接して、高速回転するローター３に設けた切刃物において、そのやや後方に、撹拌プレート６を直立して設けたことを要旨とするものである。
【発明の効果】
【０００９】
分離機１７より供給される籾殻は、複数の風圧調整仕切り板の角度調整によって、好ましい供給速度を調整することが可能となる。それを受けて、籾殻は、順次切刃物と受刃物の近接する籾殻切断個所に送られる。そして、最終局面で、多数の縦溝によって構成される籾殻縦列供給板と接することになる。この籾殻縦列供給板に設けている縦列の溝は、籾殻の縦径よりも短く、横径よりも長く構成されているため、溝を通る籾殻は縦列に並んだ状態で、受刃物の先端となる籾殻切断個所へと誘導される。
【００１０】
縦列に並んだ状態で切断された籾殻は、真半分の切断にはならなくても、少なくとも籾殻を横断して切断するから、ランダムに籾殻切断個所に飛び込んでいくよりは、当然、繊維が短く切断されることになる。
【００１１】
従って、粉砕された籾殻は微細に粉砕出来るため粉砕する前と比べると１／２〜１／３に嵩が減る。尚、粉砕は厚刃物で切削する方式なので、刃物の消耗も少なく傷みにくく、また、その再研磨も簡単で経済的である。
【００１２】
ローター３に取り付けてある撹拌プレート６は、ローター３の急速回転によって、渦気流を巻き起こし、細かくなった籾殻をスクリーン金網１３からの排出力を高めるとともに、未切断の籾殻を撹拌しながら、繰り返し籾殻切断個所へと循環させる機能を発揮する。
【発明を実施するための最良の形態】
【００１３】
以下、本発明の最良の実施の形態を説明する。
【実施例】
【００１４】
図１は、本発明の籾殻粉砕機の実施の形態を示す説明図で、図２と図３は、主として発明の要部の説明図である。台座１に設置した籾殻粉砕装置は、本体支持台２の中央に、ローター３を回転自在できる空隙を設けて取り付け、モーター４によって急速回転させる。ローター３には、複数個の切刃物５と、その切刃物５のやや後方に撹拌プレート６をほぼ直立して設け、本体支持台２には、回転する切刃物５に近接して受刃物７を２箇所設ける。
【００１５】
受刃物７の上面刃先に近くに、多数の縦溝を有する籾殻縦列供給板８をやや傾斜させて設ける。この籾殻縦列供給板８は、図３に示すように、薄い仕切り板９を多数平行して突出させて籾殻誘導溝１０を構成し、その間隔は、細長い形状の籾殻の縦径よりも短く横径より長くとり、籾殻が縦には楽に通れるが横には通れないという溝幅にする。尚、この籾殻縦列供給板８は、滑走性の良い硬質樹脂製によって構成し、形状的にはやや丸みのある溝にすると理想的である。
【００１６】
籾殻縦列供給板８の先端１１位置は、その先端の一部をカバーする形で取り付け、回転する刃物に接触しない範囲に湾曲させた籾殻誘導板１２を設ける。この籾殻誘導板１２と籾殻縦列供給板８の両者は、あたかも細粒をロートによって誘導するように働き、１度入った籾殻は、必ず、籾殻縦列供給板８に設けてある籾殻誘導溝１０によって、ほぼ縦列となって受刃物７と切刃物５の近接する籾殻切断個所へと誘導される。
【００１７】
尚、本体支持台２の内部には、ローター３に設けた切刃物５の刃先の回転面より数センチ離れた湾曲面に沿ってスクリーン金網１３を設け、切断粉砕された籾殻の粉砕が篩い落とせるようにする。
【００１８】
本体支持台２には、籾殻粉砕装置の上部をやや広くとった本体カバー１４を設け、その内部上方に、複数の風圧調整仕切板１５を、外部より角度調節可能に取り付ける。本体カバー１４の上方には、籾殻投入口１６を設けたうえ、籾殻を供給する分離機１７を設ける。
【産業上の利用可能性】
【００１９】
籾殻を粉砕する事によって水分を含むようになり、オガ屑の替わりに使用でき畜産の敷き藁や堆肥の水分調整にも利用することが出来ます。
【図面の簡単な説明】
【００２０】
【図１】は、本発明の実施の形態を示す説明図である。
【図２】は、発明の要部の説明図である。
【図３】は、発明の要部の説明図である。
【符号の説明】
【００２１】
１・・・台座
２・・・本体支持台
３・・・ローター
４・・・モーター
５・・・切刃物
６・・・撹拌プレート
７・・・受刃物
８・・・籾殻縦列供給板
９・・・仕切板
１０・・・籾殻誘導溝
１１・・・先端
１２・・・籾殻誘導板
１３・・・スクリーン金網
１４・・・本体カバー
１５・・・風圧調整仕切板
１６・・・籾殻投入口
１７・・・分離機
【図１】
2010036084.tif 000003
【図２】
2010036084.tif 000004
【図３】
2010036084.tif 000005